(57)【特許請求の範囲】
【請求項１】
タイトフレームの頂部に起立して旧折板を固定している既存の頂部ボルトに、雄ねじ及び頂部ボルトと同一もしくは幅狭な径の雌ねじを有し、且つスリットが形成された継ねじを螺着して固定化した後、固定した該継ねじを利用して新折板を葺く屋根リフォーム工法において、新折板の葺付けに、旧折板を跨いで取り付けられる台座金物と、両側新折板を係止するために台座金物に取り付けられる支持金物とを使用し、台座金物は、旧折板を跨ぐ鞍形の平たい頂部の中心に継ねじの通し孔が設けられ、継ねじに螺入される下ナットと上ナットとに挟持することにより固定して取り付けられ、一方、支持金物は、金属板を加工して高さ中間部にほゞ水平な基部を有し基部から掛止部が立ち上がる段々状であって、その掛止部が上端で反転屈折する鉤形に形成されており、上ナットまたはその上面に露出している継ねじに該基部を受けさせ、それから下がる側部において台座金物に取付ねじとナットで締め付けて取り付けられ、新折板は、旧折板の谷間に落ち込む上広がりのチャンネル形であって、一側の上端に、掛止部の反転内側に掛かる裏止め縁が形成され、他側の上端には、掛止部の表側に掛かる表止め縁が形成され、各旧折板の頂部に設けられた上記掛止部に、左右の新折板が掛け止められることを特徴とする屋根リフォーム工法。
【発明の詳細な説明】
【０００１】
【発明の属する技術分野】
この発明は、タイトフレームに頂部ボルトにより固定されている古くなった旧折板の上に、さらに新折板を葺く屋根リフォーム工法に関する。
【０００２】
【従来の技術】
従来、折板屋根が錆付いてきたときには、それを剥がして下の梁や桁等の横架材を露出させ、その横架材の上に新たな折板の葺き替えを行なう方法が用いられてきた。しかしながら、従来の方法では、作業と廃棄物の処分に多大な労力と費用が掛かることから、最近は、折板屋根をそのままにして、その上に新しく折板を葺き、二重折板屋根構造とする屋根のリフォーム工法が普及しつつある。
【０００３】
一般的な折板屋根では、折板がタイトフレームの頂部に起立される頂部ボルトにナットで締め付けられている場合が多い。折板屋根の頂部ボルトを新折板の葺付けに利用できれば、従来工法のように、旧折板を剥がすことなく、リフォームを行うことができる。しかしながら、旧折板の表面は長年の使用により、錆付き等で頂部ボルトが傷んでいる場合が多く、新折板の固定に利用するには、十分な強度が得られないという問題がある。
【０００４】
また、旧折板と新折板の間に断熱材を敷き込み、断熱リフォームを同時に行う場合もあるが、既存の屋根に対する新折板の固定や、新折板どうしの結合が粗雑となり、作業性も悪くなるという問題があった。
【０００５】
【発明が解決しようとする課題】
この発明は、上記のような実情に鑑みて、新折板を強固に葺くことができるとともに、作業性が良くなる屋根リフォーム工法を提供することを目的とした。
【０００６】
【課題を解決するための手段】
上記の目的を達成するために、この発明は、タイトフレームの頂部に起立して旧折板を固定している既存の頂部ボルトに、雄ねじ及び頂部ボルトと同一もしくは幅狭な径の雌ねじを有し、且つスリットが形成された継ねじを螺着して固定化した後、固定した該継ねじを利用して新折板を葺く屋根リフォーム工法において、新折板の葺付けに、旧折板を跨いで取り付けられる台座金物と、両側新折板を係止するために台座金物に取り付けられる支持金物とを使用し、台座金物は、旧折板を跨ぐ鞍形の平たい頂部の中心に継ねじの通し孔が設けられ、継ねじに螺入される下ナットと上ナットとに挟持することにより固定して取り付けられ、一方、支持金物は、金属板を加工して高さ中間部にほゞ水平な基部を有し基部から掛止部が立ち上がる段々状であって、その掛止部が上端で反転屈折する鉤形に形成されており、上ナットまたはその上面に露出している継ねじに該基部を受けさせ、それから下がる側部において台座金物に取付ねじとナットで締め付けて取り付けられ、新折板は、旧折板の谷間に落ち込む上広がりのチャンネル形であって、一側の上端に、掛止部の反転内側に掛かる裏止め縁が形成され、他側の上端には、掛止部の表側に掛かる表止め縁が形成され、各旧折板の頂部に設けられた上記掛止部に、左右の新折板が掛け止められることを特徴とする屋根リフォーム工法を提供するものである。
【０００７】
【実施例】
次に、この発明の実施例を図面に基づいて説明するが、本発明はこれらに制限されるものではない。
【０００８】
図面は、一実施例を示したもので、図１において、波段状の旧折板１の上に、チャンネル形の新折板３を葺いた状態を示している。
【０００９】
旧折板１は、建物の横架材４に溶接等により配設してあるタイトフレーム５に載せてあって、その各段頂に立設してある頂部ボルト６にナット７により締め付けられ、その下に座金８を有する。これらも錆付いて取外し不能であったので、そのまま残存させ、ナット７の上に突き出ている頂部ボルト６に特別な継ねじ１０を取り付けた。
【００１０】
継ねじ１０は、図２および図４に示すように、雄ねじ１０ａおよび雌ねじ１０ｂを有する筒形であるが、雌ねじ１０ｂとしての内径が下端に行くにつれて大きく形成され、加えて、下半部に相対向する一対のスリット１１，１１が形成される。この継ねじ１０を頂部ボルト６にねじ込む際に、ハンマーで少し打ち叩くと、頂部ボルト６の残りねじに引っ掛かりが生じたので、それからねじ込みが進行した。錆びが酷かったが、スリット１１によりそれが削り採られて外に排出されるために、抵抗少なくねじ込むことができた。
【００１１】
新折板３の葺付けには、この継ねじ１０の他に、旧折板１に固定される台座金物１３と、台座金物１３に取り付けられる支持金物１５とが使用される。また、旧折板１と新折板３との間に介在させる断熱材１７が使用される。
【００１２】
台座金物１３は、旧折板１を跨ぐ鞍形であって、頂部が平たくなっており、頂部の中心に継ねじ１０の通し孔２１が設けられ、上端部の一側面に支持金物１５の取付ねじ１９が突設されている。そこで、この台座金物１３の取り付けについては、継ねじ１０に下ナット２５をねじ込んでから、上ナット２７で下ナット２５に台座金物１３を締め付ける。また、台座金物１３は、一側において、側部ねじ２９によりタイトフレーム５に締め付けられる。
【００１３】
支持金物１５は、金属板を加工してなる段々状であって、高さ中間部のほゞ水平な基部が上ナット２７またはその上面に露出している継ねじ１０に受けられ、それから下がる側部において台座金物１３に取付ねじ１９とナット２０で締め付けられるもので、また、基部から掛止部３２が立ち上がり、その掛止部３２が上端で反転屈折する鉤形に形成される。これに左右の新折板３，３が掛け止められる。３０は、断熱材１７の上面が掛かる爪である。
【００１４】
支持金物１５については、さらに、前記側部のほゞ中間部、つまり取付ねじ１９の通し孔３７の高さから上が幅広く形成され、これによって、掛止部３２の幅Ｌが補強された状態で幅広くなるために、新折板３の結合強度が向上する。
【００１５】
新折板３は、旧折板１の谷間に落ち込む上広がりのチャンネル形であって、一側の上端には、掛止部３２の内側に掛かる裏止め縁３３が形成され、また、他側の上端には、旧折板１の頂部を覆って先端が掛止部３２に掛かる表止め縁３５が形成される。
【００１６】
断熱材１７は、旧折板１と新折板３との間に全体的に納まるチャンネル形であって、発泡スチロールで成形されている。これが旧折板１と新折板３との間に充填材として介在するために、断熱性および遮音性が向上し、雨音が著しく遮蔽される。また、この断熱材１７には、両側上端部に旧折板１の段頂に掛かる鍔部３６，３６を設ける他、台座金物１３および支持金物１５の箇所における切欠部３８，３８が設けられる。断熱材１７は、このような発泡スチロール等の発泡プラスチック系の断熱材が望ましいが、無機繊維系の断熱材であっても良い。
【００１７】
【発明の効果】
以上説明したように、この発明の屋根リフォーム工法によれば、たとえ残存の頂部ボルトが錆付いていても、特殊な継ねじを用い、さらに、台座金物や支持金物を介して強固に新折板を葺くことができ、しかも、要領を得て作業性も良好で工期短縮に適するという優れた効果がある。
【００１８】
加えて、取付ねじが、台座金物により予め一体化されていると、作業性がさらに良くなる。また、支持金物の新折板への掛止部分が幅広く形成してあると、新折板を支持する力が一層強固となる。さらに、加えて、旧折板と新折板間に断熱材を隙間無く充填すると、断熱リフォームを同時に行うことができる上、雨音の遮音効果も得られる。
【図面の簡単な説明】
【図１】  屋根リフォーム工法の一例を示す断面図である。
【図２】  同構造の分解斜視図である。
【図３】  旧折板と新折板との間に介在させる断熱材の納まり状態を示す断面図である。
【図４】  継ねじの下端面を示す底面図である。
【符号の説明】
１  旧折板
３  新折板
５  タイトフレーム
６  頂部ボルト
７  ナット
８  座金
１０  継ねじ
１０ａ  雄ねじ
１０ｂ  雌ねじ
１１  スリット
１３  台座金物
１５  支持金物
１７  断熱材
１９  取付ねじ
２０  ナット
２１  通し孔
２５  下ナット
２７  上ナット
２９  側部ねじ
３０  爪
３２  掛止部
３３  裏止め縁
３５  表止め縁
３６  鍔部
３８  切欠部
【図１】
0003992836.tif 000002
【図２】
0003992836.tif 000003
【図３】
0003992836.tif 000004
【図４】
0003992836.tif 000005